(57)【要約】【課題】歯ブラシ用スキンパックにおいて、歯ブラシの視認性を低下させることなく、容器の外側から歯ブラシの感触を得ることができる。【解決手段】歯ブラシ２をシート状の縦長の台紙３上に積載した状態で、スキンパックフィルム４を吸引して固着させることによって、台紙３にスキンパックフィルム４を接着させて歯ブラシ２を包装する構成であり、台紙３には、穿孔加工がなく、且つ透気度が０．０２以上の素材を採用した歯ブラシ容器１を提供する。【選択図】図１
2014114045.tif 000002
【特許請求の範囲】
【請求項１】
歯ブラシをシート状の基材上に積載した状態で、スキンパックフィルムを吸引して固着させることによって前記基材にスキンパックフィルムを密着させて前記歯ブラシを包装することを特徴とする歯ブラシ容器。
【請求項２】
前記基材は、穿孔加工がなく、且つ透気度が０．０２以上の素材からなることを特徴とする請求項１に記載の歯ブラシ容器。
【発明の詳細な説明】
【技術分野】
【０００１】
本発明は、歯ブラシ容器に関する。
【背景技術】
【０００２】
従来、この種の歯ブラシ容器として、例えば下記特許文献１に示されているような、歯ブラシの特徴を視認し易く、店頭展示性に優れ、生産性に優れているブリスターパックが知られている。
【先行技術文献】
【特許文献】
【０００３】
【特許文献１】実開平５−４９６６４号公報
【発明の概要】
【発明が解決しようとする課題】
【０００４】
しかしながら、従来のブリスターパックによる歯ブラシ容器では、収容する歯ブラシとの間に隙間をもたせた収容部がブリスターによって形成されており、歯ブラシを視認するだけではなく、保護する機能を有している。一方で、商品の差別化により多種多様な形状の歯ブラシが市場にある中で、例えば持ち手（ハンドル部）のグリップ感を店頭で確認するなど、ブラシ形状を展示される歯ブラシ容器内の歯ブラシを実際に手で触ることで確認したいという要望があり、その点で改善の余地があった。
【０００５】
本発明は、このような事情に鑑みてなされたものであって、歯ブラシ用スキンパックにおいて、歯ブラシの視認性を低下させることなく、容器の外側から歯ブラシの感触を得ることができる歯ブラシ容器を提供することを目的とする。
【課題を解決するための手段】
【０００６】
上記目的を達成するため、本発明に係る歯ブラシ容器では、歯ブラシをシート状の基材上に積載した状態で、スキンパックフィルムを吸引して固着させることによって前記基材にスキンパックフィルムを密着させて前記歯ブラシを包装することを特徴としている。
【０００７】
本発明では、基材上に配置される歯ブラシが極めて薄いスキンパックフィルムによって密着した状態で覆われているので、スキンパックフィルムを介して歯ブラシに触れて、その形状を確認することができる。すなわち、歯ブラシの持ち手のグリップ感等の感触を得ることができる。
また、スキンパックフィルムが歯ブラシに密着しているので、優れた視認性を確保することができる。
【０００８】
また、本発明の歯ブラシ容器では、前記基材は、穿孔加工がなく、且つ透気度が０．０２以上の素材からなることが好ましい。
【０００９】
この場合には、基材にミシン目等の穿孔加工による通気孔が形成されず、基材自体の素材に０．０２以上の透気度をもたせて、基材におけるスキンパックフィルム側とは反対側から吸引して脱気することで、そのフィルムが基材に接着するとともに、歯ブラシに対してスキンパックフィルムが密着する。
そのため、優れた視認性が得られるとともに、穿孔加工して脱気孔を設ける従来の基材のように、基材に印刷された表示文字等が潰れたり欠けることで不鮮明になることがなく、容器の外観の低下を防止することができる。
【発明の効果】
【００１０】
本発明に係る歯ブラシ容器によれば、歯ブラシ用スキンパックにおいて、歯ブラシの視認性を低下させることなく、容器の外側から歯ブラシの感触を得ることができる効果を奏する。
【図面の簡単な説明】
【００１１】
【図１】本発明の実施の形態よる歯ブラシ容器の斜視図である。
【図２】図１に示すＡ−Ａ線断面図であって、歯ブラシの断面形状を簡略化した図である。
【図３】（ａ）〜（ｃ）は、図１に示す歯ブラシ容器の製造工程を説明する図である。
【発明を実施するための形態】
【００１２】
以下、本発明による歯ブラシ容器の実施の形態について図面を参照して説明する。
図１及び図２に示すように、本実施の形態の歯ブラシ容器１は、歯ブラシ２をシート状の縦長の台紙３（基材）上に積載した状態（図３（ａ）に示す状態）で、スキンパックフィルム４を吸引して固着（図３（ｂ）、（ｃ）に示す状態）させることによって、台紙３にスキンパックフィルム４を接着させて歯ブラシ２を包装するためのものである。なお、図３（ｃ）に示す下向き矢印は、上述の吸引の方向を示している。
【００１３】
歯ブラシ２は、図１に示すように、植毛部２１、首部２２、ハンドル部２３からなり、植毛部２１にはキャップ２４が被着されている。なお、歯ブラシ２は、台紙３の表面３ａに対して横に寝かした姿勢で配置させてスキンパックフィルム４によって密着包装されているが、歯ブラシ２の姿勢は任意に設定することができ、また、キャップ２４を省略することも可能であるが、スキンパックフィルム４を吸引して歯ブラシ２に密着させる際に、植毛部２１が圧縮されて変形するため、本実施の形態のように植毛部２１の変形を保護するためにキャップ２４を設けることが好ましい。
【００１４】
台紙３は、 包装される歯ブラシ２が配置される長方形状の本体部３１と、本体部３１の長手方向の一端に連設されるとともに該本体部３１を店頭に陳列する際に図示しない棒状部材等に係止するための係止部３２と、を備えている。係止部３２には、本体部３１との間に鍵形状の凹部３３が形成されている。
台紙３は、紙台紙が使用され、穿孔加工がなく、且つ透気度（ＩＳＯ５６３６−５）が０．０２以上の素材を採用することができる。
【００１５】
また、台紙３は、台紙坪量が２５０〜４２０ｇ／ｍ２であることがより好ましく、この場合、密度などが影響している可能性があるため台紙の坪量には影響しない。
【００１６】
本体部３１は、長方形状をなしており、その長手方向に沿って歯ブラシ２が配置されている。
【００１７】
スキンパックフィルム４としては、一般的なグレードのものを使用することができるが、例えば、軟質塩化ビニルフィルム、アイオノマーフィルム、ポリエチレンフィルム、エチレン−酢酸ビニル共重合体フィルム等を用いることができる。
【００１８】
次に、上述したように構成された歯ブラシ容器１の作用について説明する。
図１に示すように、本実施の形態では、台紙３上に配置される歯ブラシ２が極めて薄いスキンパックフィルム４によって密着した状態で覆われているので、スキンパックフィルム４を介して歯ブラシ２に触れて、その形状を確認することができる。すなわち、歯ブラシ２のハンドル部２３のグリップ感等の感触を得ることができる。
また、スキンパックフィルム４が歯ブラシ２に密着しているので、優れた視認性を確保することができる。
【００１９】
また、本実施の形態では、台紙３にミシン目等の穿孔加工による通気孔が形成されず、台紙自体の素材に０．０２以上の透気度をもたせて、台紙３の裏面３ｂから吸引して脱気することで、そのスキンパックフィルム４が台紙３に接着するとともに、歯ブラシ２に対してスキンパックフィルム４が密着する。
そのため、優れた視認性が得られるとともに、穿孔加工して脱気孔を設ける従来の台紙のように、台紙に印刷された表示文字等が潰れたり欠けることで不鮮明になることがなく、容器の外観の低下を防止することができる。
【００２０】
上述のように本実施の形態による歯ブラシ容器１では、歯ブラシ用スキンパックにおいて、歯ブラシ２の視認性を低下させることなく、容器の外側から歯ブラシ２の感触を得ることができる効果を奏する。
【００２１】
（実施例）
次に、上述した実施の形態による歯ブラシ容器１の効果を裏付けるために行った実施例について以下説明する。
【００２２】
本実施例では、試験により好適な台紙の透気度を確認した。
ここで、ＩＳＯ透気度（ＩＳＯ５６３６−５）は、ガーレー試験機法（ＪＩＳ透気度試験方法）におけるＩＳＯ透気度Ｐ（μｍ／（Ｐａ・ｓ））とガーレー秒数ｔ（ｓ）との関係式（Ｐ＝１３５．３／ｔ）により求まる。
なお、本実施例では、表１に示す種類の１３枚のサンプル（台紙Ｎｏ１〜１３）の台紙について試験を行った。
【００２３】
【表１】
2014114045.tif 000003
【００２４】
表２は、表１に示す１３枚の台紙（台紙Ｎｏ１〜１３）のガーレー秒数（ｓ）の測定値と、透気度Ｐと、吸引性の評価についてまとめた結果を示している。なお、表中の「−」は、測定不能、又は未測定のものを示している。ここでは、ガーレー秒数（ｓ）は、台紙毎に５回の測定を行い、平均値（ａｖｅ）を示している。吸引性の評価については、良好なものを「○」とし、やや良好なものを「△」とし、吸引不良、つまり十分に吸引されない状態のものを「×」としている。
【００２５】
【表２】
2014114045.tif 000004
【００２６】
表２により、台紙Ｎｏ１〜７において吸引性が良好、又はやや良好であることが確認され、台紙Ｎｏ８〜１０は吸引不良であり、台紙Ｎｏ１１〜１３は未測定である。この結果より、吸引性が得られるために必要な台紙の透気度は０．０２〜１．１の範囲であることが好ましい。
【００２７】
また、表３は、上記表２において吸引性が得られた台紙の透気度Ｐと坪量（ｇ／ｍ２）との関係を示したものであり、表中の左列から右列に向かって台紙坪量が大きくなるように記載している。この結果より、表３に示す吸引性が得られた８種の台紙（台紙Ｎｏ１，３〜７，１１，１２）において、坪量は２７０〜４２０ｇ／ｍ２の範囲にあることから、透気度Ｐは坪量に影響されるものではないといえる。なお、台紙Ｎｏ１１、１２は、表２の結果では吸引性が未確認であるが、試験結果による推定により吸引性良好（○）と判断している。
【００２８】
【表３】
2014114045.tif 000005
【００２９】
以上、本発明に係る歯ブラシ容器の実施の形態について説明したが、本発明は上記した実施の形態に限定されるものではなく、その趣旨を逸脱しない範囲で適宜変更可能である。
【００３０】
例えば、本実施の形態では、透気性を有し、透気度が０．０２以上の素材からなる台紙３を基材として用いた一例を示しているが、このような台紙３に限定されることはない。例えば、穿孔加工による微小孔やミシン目等が形成されたプラスチック製の基材を用いることも可能である。
【００３１】
また、台紙３（基材）の形状、厚さも適宜設定することができ、台紙３の材質も例えば上記実施例で記載した好適な台紙を選定して使用することができる。
【００３２】
その他、本発明の趣旨を逸脱しない範囲で、上記した実施の形態における構成要素を周知の構成要素に置き換えることは適宜可能である。
【符号の説明】
【００３３】
１  歯ブラシ容器
２  歯ブラシ
３  台紙（基材）
３ａ  表面
３ｂ  裏面
４  スキンパックフィルム
【図１】
2014114045.tif 000006
【図２】
2014114045.tif 000007
【図３】
2014114045.tif 000008